【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】ネットワークシステムにおける無線通信装置の接続方法、ネットワークシステムの制御方法、サーバ装置、サーバ装置の制御方法、及びプログラム
【手続補正２】
【補正対象書類名】明細書
【補正対象項目名】特許請求の範囲
【補正方法】変更
【補正の内容】
【特許請求の範囲】
【請求項１】  ネットワークシステムにおける無線通信装置の接続方法において、
無線通信装置が、第１のアクセスポイントに接続し、該第１のアクセスポイントを経由してサーバ装置から前記無線通信装置が接続すべき第２のアクセスポイントに接続するための接続情報を取得し、該取得した接続情報を用いて前記無線通信装置は前記第２のアクセスポイントに接続することを特徴とする接続方法。
【請求項２】  前記接続情報は、周波数情報、前記第２のアクセスポイントの識別情報、暗号情報のいずれかを含むことを特徴とする請求項１記載の接続方法。
【請求項３】  ネットワークシステムの制御方法において、
無線通信装置が接続すべきアクセスポイントを管理する管理工程と、
前記管理工程において管理されている情報に基づいて、第１のアクセスポイントに接続した無線通信装置が接続すべきアクセスポイントを判別する判別工程と、
前記判別工程において判別したアクセスポイントに接続するための情報を、前記無線通信装置に通知する通知工程と、
を有することを特徴とするネットワークシステムの制御方法。
【請求項４】  前記管理工程は、サーバ装置により実行されることを特徴とする請求項３に記載のネットワークシステムの制御方法。
【請求項５】  前記判別工程は、前記無線通信装置が前記第１のアクセスポイントを介してサーバ装置における認証プロセスを行う際に、前記判別を行うことを特徴とする請求項３に記載のネットワークシステムの制御方法。
【請求項６】  前記通知工程で通知される情報は、前記アクセスポイントに接続するための周波数情報、前記アクセスポイントの識別情報、暗号情報のいずれかを含むことを特徴とする請求項３に記載のネットワークシステムの制御方法。
【請求項７】  前記判別工程では、前記無線通信装置のユーザ情報に基づいて前記判別が行われることを特徴とする請求項３に記載のネットワークシステムの制御方法。
【請求項８】  前記管理工程では、前記無線通信装置が接続すべきアクセスポイントを時間単位で管理することを特徴とする請求項３に記載のネットワークシステムの制御方法。
【請求項９】  前記判別工程において、前記無線通信装置が接続すべきアクセスポイントが複数あると判別された場合に、前記通知工程は、該複数のアクセスポイントに関する情報を通知することを特徴とする請求項３に記載のネットワークシステムの制御方法。
【請求項１０】  前記無線通信装置は、前記判別工程において判別された複数のアクセスポイントのいずれかを選択するための表示を行うことを特徴とする請求項９に記載のネットワークシステムの制御方法。
【請求項１１】  前記管理工程は、前記無線通信装置が接続すべきアクセスポイントを、エリア毎に管理することを特徴とする請求項３に記載のネットワークシステムの制御方法。
【請求項１２】  前記判別工程において、前記無線通信装置が接続すべきアクセスポイントが同一エリアに複数あると判別された場合に、複数の無線通信装置が複数のアクセスポイントに均等に接続するように指示する指示工程を更に有することを特徴とする請求項１１に記載のネットワークシステムの制御方法。
【請求項１３】  サーバ装置において、
無線通信装置が接続すべきアクセスポイントを管理する管理手段と、
前記管理手段において管理されている情報に基づいて、第１のアクセスポイントに接続した無線通信装置が接続すべきアクセスポイントを判別する判別手段と、
前記判別手段により判別したアクセスポイントに接続するための情報を、前記無線通信装置に通知する通知手段と、
を有することを特徴とするサーバ装置。
【請求項１４】  前記判別手段は、前記無線通信装置が前記第１のアクセスポイントを介して前記サーバ装置により認証プロセスを行う際に、前記判別を行うことを特徴とする請求項１３に記載のサーバ装置。
【請求項１５】  前記通知手段が通知する情報は、前記アクセスポイントに接続するための周波数情報、前記アクセスポイントの識別情報、暗号情報のいずれかを含むことを特徴とする請求項１３に記載のサーバ装置。
【請求項１６】  前記判別手段は、前記無線通信装置のユーザ情報に基づいて前記判別を行うことを特徴とする請求項１３に記載のサーバ装置。
【請求項１７】  前記管理手段は、前記無線通信装置が接続すべきアクセスポイントを時間単位で管理することを特徴とする請求項１３に記載のサーバ装置。
【請求項１８】  前記判別手段が、前記無線通信装置が接続すべきアクセスポイントが複数あると判別した場合に、前記通知手段は、該複数のアクセスポイントに関する情報を通知することを特徴とする請求項１７に記載のサーバ装置。
【請求項１９】  前記管理手段は、前記無線通信装置が接続すべきアクセスポイントを、エリア毎に管理することを特徴とする請求項１３に記載のサーバ装置。
【請求項２０】  前記判別手段が、前記無線通信装置が接続すべきアクセスポイントが同一エリアに複数あると判別した場合に、複数の無線通信装置が複数のアクセスポイントに均等に接続するように指示する指示手段を更に有することを特徴とする請求項１９に記載のサーバ装置。
【請求項２１】  サーバ装置の制御方法において、
無線通信装置が接続すべきアクセスポイントを管理する管理工程と、
前記管理工程において管理されている情報に基づいて、第１のアクセスポイントに接続した無線通信装置が接続すべきアクセスポイントを判別する判別工程と、
前記判別工程において判別したアクセスポイントに接続するための情報を、前記無線通信装置に通知する通知工程と、
を有することを特徴とするサーバ装置の制御方法。
【請求項２２】  サーバ装置を制御するためにコンピュータにより実行されるプログラムにおいて、
無線通信装置が接続すべきアクセスポイントを管理する管理工程と、
前記管理工程において管理されている情報に基づいて、第１のアクセスポイントに接続した無線通信装置が接続すべきアクセスポイントを判別する判別工程と、
前記判別工程において判別したアクセスポイントに接続するための情報を、前記無線通信装置に通知する通知工程と、
を有することを特徴とするプログラム。
【手続補正３】
【補正対象書類名】明細書
【補正対象項目名】０００１
【補正方法】変更
【補正の内容】
【０００１】
【発明の属する技術分野】
本発明は、ネットワークシステムにおける無線通信装置の接続方法、ネットワークシステムの制御方法、サーバ装置、サーバ装置の制御方法、及びプログラムに関する。
【手続補正４】
【補正対象書類名】明細書
【補正対象項目名】０００９
【補正方法】変更
【補正の内容】
【０００９】
【課題を解決するための手段】
本発明は、上記目的を達成するために、ネットワークシステムにおける無線通信装置の接続方法において、無線通信装置が、第１のアクセスポイントに接続し、該第１のアクセスポイントを経由してサーバ装置から前記無線通信装置が接続すべき第２のアクセスポイントに接続するための接続情報を取得し、該取得した接続情報を用いて前記無線通信装置は前記第２のアクセスポイントに接続することを特徴とする接続方法を提供する。
【手続補正５】
【補正対象書類名】明細書
【補正対象項目名】００１０
【補正方法】変更
【補正の内容】
【００１０】
また、ネットワークシステムの制御方法において、無線通信装置が接続すべきアクセスポイントを管理する管理工程と、前記管理工程において管理されている情報に基づいて、第１のアクセスポイントに接続した無線通信装置が接続すべきアクセスポイントを判別する判別工程と、前記判別工程において判別したアクセスポイントに接続するための情報を、前記無線通信装置に通知する通知工程と、を有することを特徴とするネットワークシステムの制御方法を提供する。
【手続補正６】
【補正対象書類名】明細書
【補正対象項目名】００１１
【補正方法】変更
【補正の内容】
【００１１】
また、サーバ装置において、無線通信装置が接続すべきアクセスポイントを管理する管理手段と、前記管理手段において管理されている情報に基づいて、第１のアクセスポイントに接続した無線通信装置が接続すべきアクセスポイントを判別する判別手段と、前記判別手段により判別したアクセスポイントに接続するための情報を、前記無線通信装置に通知する通知手段と、を有することを特徴とするサーバ装置を提供する。
【手続補正７】
【補正対象書類名】明細書
【補正対象項目名】００１２
【補正方法】変更
【補正の内容】
【００１２】
また、サーバ装置の制御方法において、無線通信装置が接続すべきアクセスポイントを管理する管理工程と、前記管理工程において管理されている情報に基づいて、第１のアクセスポイントに接続した無線通信装置が接続すべきアクセスポイントを判別する判別工程と、前記判別工程において判別したアクセスポイントに接続するための情報を、前記無線通信装置に通知する通知工程と、を有することを特徴とするサーバ装置の制御方法を提供する。
【手続補正８】
【補正対象書類名】明細書
【補正対象項目名】００１３
【補正方法】変更
【補正の内容】
【００１３】
また、サーバ装置を制御するためにコンピュータにより実行されるプログラムにおいて、無線通信装置が接続すべきアクセスポイントを管理する管理工程と、前記管理工程において管理されている情報に基づいて、第１のアクセスポイントに接続した無線通信装置が接続すべきアクセスポイントを判別する判別工程と、前記判別工程において判別したアクセスポイントに接続するための情報を、前記無線通信装置に通知する通知工程と、を有することを特徴とするプログラムを提供する。
【手続補正９】
【補正対象書類名】明細書
【補正対象項目名】０１３７
【補正方法】変更
【補正の内容】
【０１３７】
以上のように、無線ＬＡＮ端末を特定の無線通信アクセスポイントに接続する際、その接続に必要な無線チャンネルや暗号鍵などの接続情報を無線ＬＡＮ端末に手動で設定する代わりに、無線通信アクセスポイントに接続されたサーバから上記接続情報を自動的に受け取ることで、無線ＬＡＮ端末と特定の無線通信アクセスポイントとの間で無線通信が確立できる。
【手続補正１０】
【補正対象書類名】明細書
【補正対象項目名】０１３８
【補正方法】変更
【補正の内容】
【０１３８】
また、同一場所に設置された複数の無線通信アクセスポイントに、複数の無線通信端末を均等に接続することができるため、特定の無線通信アクセスポイントに無線ＬＡＮ端末が集中して割り振られることがなく、特定の無線通信アクセスポイントに通信が集中することを避けることができる。
【発明の効果】
以上のように本発明によれば、無線通信装置が接続すべきアクセスポイントに該無線通信装置を容易に接続できる。